(57)【要約】【課題】インターネット回線を通じて取得される画像データに対して、この画像データの任意の領域のサイズを変換して画面上に表示させることができる表示装置の提供を目的とする。【解決手段】テレビジョン受信機１００は、インターネット回線２００を通じて送信された画像データを取得する画像データ取得手段２０と、画面に表示された画像データの所定領域を画面上で指定するための指示を受付ける表示領域指示受付手段３０と、取得された画像データにおける受付けた指示により指定された領域を対応づける指定領域対応付け手段４０と、前記指定付けられた領域を前記画面のサイズに変換する画像データ変換手段５０と、変換された画像データを前記画面に表示する画像表示手段６０とを有する構成である。【選択図】図１
2009047998.tif 000002
【特許請求の範囲】
【請求項１】
インターネット回線を通じて送信される画像データを取得するとともに、取得した画像データを所定サイズの画面に表示する表示装置において、
前記画像データを取得する画像データ取得手段と、
画面に表示された画像データの所定領域を画面上で指定するための指示を受付ける表示領域指示受付手段と、
前記取得された画像データにおける前記受付けた指示により指定された領域を対応づける指定領域対応付け手段と、
前記指定付けられた領域を前記画面のサイズに変換する画像データ変換手段と、
前記変換された画像データを前記画面に表示する画像表示手段とを有することを特徴とする表示装置。
【請求項２】
前記表示領域指示受付手段は、領域の対角を所定のアイコンを用いて選択することで領域を指定することを特徴とする請求項１に記載の表示装置。
【請求項３】
前記画像データ変換手段は、指定された領域の画素数を変換して前記画面のサイズに対応させることを特徴とする請求項１又は請求項２のいずれかに記載の表示装置。
【請求項４】
前記指定領域対応付け手段は、前記画像データ変換手段に、指定された領域における縦横比の大きい方の辺に合わせて前記画像データを画面サイズに対応させて変換させることを特徴とする請求項１から請求項３のいずれか一項に記載の表示装置。
【請求項５】
所定のテレビジョン放送信号を受信するフロントエンド部を有し、  
前記表示領域指示受付手段は、指定操作を受付けるリモコン装置と、このリモコン装置により操作可能なアイコンを画面上に表示するＯＳＤ部とであって、前記アイコンで領域の対角を選択することで領域を指定し、
前記画像データ変換手段は、指定された領域の画素数を変換して前記画面のサイズに対応させるとともに、
指定された領域の縦横比が画面の縦横比に一致しない場合は、前記指定領域対応付け手段は、前記画像データ変換手段に、指定された領域における縦横比の大きい方の辺に合わせて前記画像データを画面サイズに対応させて変換させることを特徴とする請求項１に記載の表示装置。
【発明の詳細な説明】
【技術分野】
【０００１】
本発明は、インターネット回線で送信される画像データを取得可能な表示装置に関するものである。
【背景技術】
【０００２】
現在、インターネット回線を使用してデータを端末に送信するインターネット放送が普及しつつある。インターネット放送は、動画像及び音声などのデータをインターネット回線を通じて送信するサービスである。そのため、端末をインターネット回線に接続していれば、このインターネット回線を通じてデータを視聴することができる。ここで、動画像を表示させる場合は、端末は、表示画面を備えたパーソナルコンピュータの他、モデムを備えたテレビジョン受信機であってもよい。
【０００３】
このようなインターネット放送では、データの帯域幅が決められており、一度に送信できるデータ量の上限が決められている。そのため、一度に送信するデータ量が多い動画コンテンツでは、帯域幅の規制により表示される画面のサイズが小さくなることがある。さらに、１画面に複数の動画コンテンツと複数の静止画とからなる広告媒体とが混在するデータでは、一度に送信されるデータ量がより多くなるため、各コンテンツに割り当てられたデータ量が少なくなり、表示サイズがより小さくなるという問題があった。
【０００４】
表示された画像データを複数領域に分割し、分割された各領域のいずれかを所定のサイズに拡大して表示する技術が開示されている（例えば、特許文献１参照。）。
この技術では、ユーザが拡大ボタンを操作することにより、画面上で分割された各領域を予め設定されたサイズに拡大するものである。
【０００５】
また、パーソナルコンピュータ等の外部機器とこの外部機器と接続された表示装置とから成る構成において、表示装置側の設定値に従って入力された画像データのサイズを変換する技術が開示されている（例えば、特許文献２参照。）。
【０００６】
さらに、外部機器（パーソナルコンピュータ）とこの外部機器と接続された表示装置（テレビジョン受信機）とから成る構成において、表示装置から外部機器に入力された画像データを外部機器側で生成した画像データと多重化させたり、各画像データのサイズを外部機器側の操作により変換したりすることができる技術が開示されている（例えば、特許文献３参照。）。
【特許文献１】特開２００３−１８９１７７号公報
【特許文献２】特開２０００−３０５５４３号公報
【特許文献３】特開２００６−３１０８９６号公報
【発明の開示】
【発明が解決しようとする課題】
【０００７】
上述した特許文献１の発明は、次のような課題があった。つまり、特許文献１の技術は、分割された領域に対して拡大ボタンを操作することにより、予め設定された倍率で表示サイズを変換するものである。そのため、ユーザ側で任意の領域を指定することができなかった。インターネット放送では、１画面に対して動画が配置される領域がコンテンツごとに異なるため、分割領域が指定されている場合は、ユーザは任意の所要の領域を拡大表示させることができない。
【０００８】
また、特許文献２の発明は、次のような課題があった。つまり、特許文献２の技術は、異なる外部機器から入力された画像データのサイズを予め設定された倍率に従って変換するものである。そのため、画像データの指定領域を選択し、この領域のサイズを変換するためのものではない。
【０００９】
さらに、特許文献３の発明は、次のような課題があった。つまり、特許文献３の技術は、外部機器側で画像データのサイズを変更するためのものである。また、対象となるのは、多重化された各画像データであり、元画像データの所定領域を対照としたものではない。
【００１０】
本発明は、上記課題にかんがみてなされたもので、インターネット回線を通じて取得される画像データに対して、この画像データの任意の領域のサイズを変換して画面上に表示させることができる表示装置の提供を目的とする。
【課題を解決するための手段】
【００１１】
上記課題を解決するために、本発明では、インターネット回線を通じて送信される画像データを取得するとともに、取得した画像データを所定サイズの画面に表示する表示装置において、前記画像データを取得する画像データ取得手段と、画面に表示された画像データの所定領域を画面上で指定するための指示を受付ける表示領域指示受付手段と、前記取得された画像データにおける前記受付けた指示により指定された領域を対応づける指定領域対応付け手段と、前記指定付けられた領域を前記画面のサイズに変換する画像データ変換手段と、前記変換された画像データを前記画面に表示する画像表示手段とを有する構成としてある。
【００１２】
上記のように構成された発明では、表示装置はインターネット回線を通じて送信される画像データを取得するとともに、取得した画像データを所定サイズの画面に表示するものである。この表示装置では、まず、画像データ取得手段がインターネット回線を通じて送信された画像データを取得する。次に、表示領域指示受付手段を用いて、ユーザが画面に表示された画像データの所定領域を画面上で指定するための指示を出す。さらに、この指示により、指定領域対応付け手段が、取得された画像データにおける、表示領域指示受付手段が受付けた指示により指定された領域を対応づける。そして、画像データ変換手段が指定付けられた領域を画面のサイズに変換する。最後に、画像表示手段が、変換された画像データを前記画面に表示することで、画面上に指定された領域が表示される。
そのため、インターネット回線を通じて取得される画像データに対して、この画像データの任意の領域のサイズを変換して画面上に表示させることができる。
【００１３】
ここで、表示領域指示受付手段の具体的な構成としては、ユーザからの指示を受付けるとともに、受付けた指示を表示装置に伝えるものであればよい。そのため、リモコン装置や操作パネル等のユーザインターフェース、及びこのユーザインターフェースからの指示を表示装置側に認識させるデバイスや各種プログラムとで構成されればよい。
【００１４】
また、上述した、表示領域指示受付手段により画面に表示された領域を指定する方法として、本発明では、前記表示領域指示受付手段は、領域の対角を所定のアイコンを用いて選択することで領域を指定する構成としてある。
上記のように構成された発明では、画面上でアイコンを用いて指定領域の対角を選択することにより領域の指定を行なうため、例えば、少ない操作キーにより領域の指定を行なうことができる。そのため、ユーザは簡単な操作で領域を指定することができる。
【００１５】
そして、画像データ変換手段が画像データのサイズを変換する手法としては様々な手法を用いることができる。そのため、本発明では、前記画像データ変換手段は、指定された領域の画素数を変換して前記画面のサイズに対応させる構成としてある。
上記のように構成された発明では、画素数を変換することで領域のサイズを変換するため、レイヤー等のグラフィック処理を必要としない簡易な構成で画像データのサイズを変換することができる。
【００１６】
さらに、画像データ変換手段が画像データのサイズを変換する他の一例として、前記指定領域対応付け手段は、前記画像データ変換手段に、指定された領域における縦横比の大きい方の辺に合わせて前記画像データを画面サイズに対応させて変換させる構成としてある。
上記のように構成された発明では、指定された画像データの縦横比が画面の縦横比に対応していない場合でも、指定された領域の全てを画面に表示することができる。
【００１７】
また、本発明の作用を実現する具体的な構成として、本発明では、所定のテレビジョン放送信号を受信するフロントエンド部を有し、前記表示領域指示受付手段は、指定操作を受付けるリモコン装置と、このリモコン装置により操作可能なアイコンを画面上に表示するＯＳＤ部とであって、前記アイコンで領域の対角を選択することで領域を指定し、前記画像データ変換手段は、指定された領域の画素数を変換して前記画面のサイズに対応させるとともに、指定された領域の縦横比が画面の縦横比に一致しない場合は、前記指定領域対応付け手段は、前記画像データ変換手段に、指定された領域における縦横比の大きい方の辺に合わせて前記画像データを画面サイズに対応させて変換させる構成としてある。
【発明の効果】
【００１８】
以上説明したように本発明によれば、インターネット回線を通じて取得される画像データに対して、この画像データの任意の領域のサイズを変換して画面上に表示させることができる。
また請求項２にかかる発明によれば、ユーザは簡単な操作で領域を指定することができる。
そして請求項３にかかる発明によれば、画素数を変換することで領域のサイズを変換するため、レイヤー等のグラフィック処理を必要としない簡易な構成で画像データのサイズを変換することができる。
さらに請求項４にかかる発明によれば、指定された画像データの縦横比が画面の縦横比に対応していない場合でも、指定された領域の全てを画面に表示することができる。
さらに請求項５のような、より具体的な構成において、上述した請求項１〜請求項４の各発明と同様の作用を奏することはいうまでもない。
【発明を実施するための最良の形態】
【００１９】
以下、下記の順序に従って本発明の実施形態を説明する。
（１）テレビジョン受信機の構成
（２）テレビジョン受信機の作用・効果
（３）各種変形例
（４）まとめ
【００２０】
（１）テレビジョン受信機の構成 
本発明は、インターネット回線を通じて送信される画像データを取得するとともに、取得した画像データを所定サイズの画面に表示する表示装置において、画面上に表示された画像データの所定領域をユーザからの指示により画面上で指定するとともに、指定された領域を画面サイズに対応するよう変換して表示するものである。
【００２１】
図１は、本発明に係るテレビジョン受信機１００のブロック構成図である。テレビジョン受信機１００は、インターネット回線２００、又はインターネット回線２００とモデム２１０を介して接続したパーソナルコンピュータ３００と接続し、インターネット回線２００を通じて入力される画像データを画面上に表示させることができる。また、テレビジョン受信機１００は、インターネット回線２００を通じて送信された画像データを取得する画像データ取得手段２０と、画面に表示された画像データの所定領域を画面上で指定するための指示を受付ける表示領域指示受付手段３０と、取得された画像データにおける受付けた指示により指定された領域を対応づける指定領域対応付け手段４０と、前記指定付けられた領域を画面のサイズに変換する画像データ変換手段５０と、変換された画像データを画面に表示する画像表示手段６０とを有する構成である。
【００２２】
このテレビジョン受信機１００では、画像データ取得手段２０は画像データを記憶するバッファメモリ２１により構成される。また、表示領域指示受付手段３０は、ユーザからの操作を受付けるリモコン装置３１と、画面上に所定のアイコンを表示するＯＳＤ部３２とから構成される。そして、指定領域対応付け手段４０は、テレビジョン受信機１００の駆動を制御する制御部４１と、リモコン装置３１からの操作信号をテレビジョン受信機１００に出力するリモコン受信部４２とから構成される。さらに、画像データ変換手段５０は、取得した画像データに所定の画像処理を施す信号処理部５１で構成される。そして、画像表示手段６０は画像を表示するためのディスプレイモジュール６１で構成される。なお、各手段はこれに対応したデバイス以外にもテレビジョン受信機１００の駆動を制御するための基本プログラムやこのプログラムを通じて制御を行なう制御部４１も密接に関わっている。
【００２３】
さらに、テレビジョン受信機１００は、インターネット回線２００、及びこのインターネット回線２００と接続したパーソナルコンピュータ３００と接続するインタフェース９１と、テレビジョン放送信号を受信するフロントエンド部９２と、フロントエンド部９２を介して入力された画像データを復号化する復号化部９３と、インタフェース９１を介して入力される画像データとテレビジョン放送信号のいずれかを切替え、バッファメモリ２１に出力する切替え部９４とを備えている。
【００２４】
これにより、テレビジョン受信機１００では、まず、フロントエンド部９２を介して入力されたテレビジョン放送信号は、復号化部９３により復号化される。復号化された画像データはバッファメモリ２１に一端記憶された後、信号処理部５１に信号処理されディスプレイモジュール６１に出力される。また、インターネット回線２００を通じて入力された画像データも同様の経路により、ディスプレイモジュールに出力される。このとき、制御部４１は、リモコン装置３１からの各種操作信号を受付けることで、受付けた操作に対応した制御をテレビジョン受信機１００に実行することができる。その後、ディスプレイモジュール６１は、画像データに基づいて画面上に画像を表示する。また、テレビジョン受信機１００では、図２（ｂ）に示すように、ユーザがリモコン装置３１を使用して画面に表示された画像データの拡大領域を指定してやることで、この領域を拡大表示させることができる。
【００２５】
リモコン装置３１は、ユーザからの操作を受付けて、受像機９０のリモコン受信部４２に操作信号を出力する。リモコン装置３１は、ユーザからの操作を受付ける操作キーが複数配置されている。操作キーは、チャンネルを選局するためのチャンネルキー３１ａと、外部入力を切替えるための切り替えキー３１ｂと、画面上でＯＳＤ部３２が生成したアイコンを操作するための十字キー３１ｃと、画面上で指定の領域を拡大表示するためのスポットズームキー３１ｄと、各操作キーの決定を表すエンターキー３１ｅとを有している。ユーザがこれら操作キーを操作することにより、リモコン装置３１内の操作信号送信部から操作信号が受像機９０のリモコン受信部４２に出力される。なお、スポットズームキー３１ｄは画面に表示された画像データの内、指定の領域を拡大表示する際操作される操作キーである。
【００２６】
テレビジョン受信機１００では、バッファメモリ２１は、インターネット回線を通じて送信された画像データを一端記憶する。図３は、バッファメモリに記憶される画像データを表す図である。バッファメモリ２１は、所定の記憶容量を備えた揮発性メモリである。インターネット回線２００を通じて取得された画像データは例えばＭＰＥＧ−２方式の画像データであり、バッファメモリ２１はこの画像データを数フレームごとに記憶し、ディスプレイモジュール６１に出力する。
【００２７】
信号処理部５１は、バッファメモリ２１に記憶された画像データの画素数を変換する。信号処理部５１は、複数の信号処理ＩＣが実装されたチップセットであり、バッファメモリに記憶された画像データに画素数変換を含む様々な信号処理を施すことができる。例えば、図３（ａ）に示すように、記憶された画像データの画素数が１９２０×１０８０（フルＨＤ）であり、ディスプレイモジュール６１の解像度が１６８０×１２００（ＵＸＧＡ）である場合は、信号処理部５１は、図３（ｂ）に示すように、画像データの画素数を１６８０×１２００になるよう変換する。また、信号処理部５１は、制御部４１の命令に基づいて、記憶された画像データを所定数の画素数に変換することができる。
【００２８】
ディスプレイモジュール６１は、変換された画像データを基に映像を表示する。ディスプレイモジュール６１は、例えば、所定数の画素で構成されたディスプレイと、このディスプレイの各画素に駆動信号を出力するドライバとから構成される。ディスプレイモジュール６１に画像データが入力されると、まず、ドライバは画像データをディジタル／アナログ変換して駆動信号を生成する。さらに、ドライバは生成された駆動信号をディスプレイの各画素に印加することにより、画素を駆動させて映像を表示する。ディスプレイモジュール６１の一例としては、液晶ディスプレイモジュールや、プラズマディスプレイモジュール、更にはＬＥＤディスプレイモジュール等を上げることができる。
【００２９】
制御部４１は、テレビジョン受信機１００の駆動を制御するためのものである。制御部４１は、演算中枢としてのＣＰＵ４３と、ＣＰＵ４３が実行する各種プログラムを記憶するマスクＲＯＭ４４と、ＣＰＵ４３がプログラムやデータを一次的に展開するＲＡＭ４４とを備える構成である。なお、マスクＲＯＭ４４は、ＣＰＵ４３が各メモリに記憶されたデータの管理や各種デバイスを制御するための基本プログラム４４ａや、入力される操作信号に基づいて、画面上に表示された画像データから拡大領域を指定し、指定された領域を拡大表示するための拡大表示プログラム４４ｂとを記憶している。これにより、リモコン装置３１からの操作信号がＣＰＵ４３に入力されると、マスクＲＯＭ４４に記憶された各種プログラムに基づいてＣＰＵ４３が制御命令を各デバイスに出力する。
【００３０】
図４は、マスクＲＯＭに記憶された拡大表示プログラムのフローチャートである。このプログラムでは、領域の対角を画面上で指定し、指定された対角内に含まれる領域を拡大領域として拡大表示するものである。このとき、画面上での領域の指定は、リモコン装置３１の各操作キーを用いて画面に表示されたアイコンを操作することで実行する。今、バッファメモリ２１にインターネット回線２００を介して図５に示す画像データが入力された場合を想定する。このとき、すでにディスプレイモジュール６１の画面上には、バッファメモリ２１に記憶された画像データより数フレーム前に記憶された画像データが表示されているものとする。
【００３１】
ユーザがリモコン装置３１のスポットズームキー３１ｄを操作すると、ＣＰＵ４３は画面上に図５（ａ）に示すような垂直に交わる２本の線分４００を表示させる（ステップＳ１００）。この２本の直線は、ＯＳＤ部３２により生成されるアイコンである。次に、十字キー３１ｃを操作すると、２本の直線４００は十字キー３１ｃの操作に応じて移動する（ステップＳ１１０）。この移動はリモコン装置３１のエンターキー３１ｅが操作されまで十字キー３１ｃにより実行することができる。その後エンターキー３１ｅが操作されると（ステップｓ１２０）、ＣＰＵ４３は図５（ｂ）に示すように、画面上に同様な２本の線分４１０を表示する（ステップＳ１３０）。この２本の線分４１０も十字キー３１ｃを操作してその位置を操作できるものとする（ステップＳ１４０）。その後ユーザがエンターキー３１ｅを操作すると、ＣＰＵ４３は線分の位置を固定し、この２つの線分の各交点を対角とした領域を拡大領域として指定する（ステップＳ１５０、１６０）。このとき、ＣＰＵ４３は各線分の交点が配置された画面における画素位置を指定し、この指定された画素位置を拡大領域の対角とする。そして、ＣＰＵ４３はバッファメモリ２１に記憶された画像データから指定した画素位置を用いて拡大領域を指定する。
【００３２】
図６に示すように、画面上で指定された対角の座標を（ａ，ｂ）、（ａ’，ｂ’）とすると、ＣＰＵ４３は、バッファメモリ２１に記憶された画像データの（ａ，ｂ）、（ａ’，ｂ’）を対角とする拡大領域を指定する。ここで、便宜上、バッファメモリ２１に記憶された画像データはその画素数を画面の解像度と対応するよう信号処理部５１により変換されているものとする。さらに、ＣＰＵ４３は、指定された拡大領域の画像データのみを取り出し（ステップＳ１７０）、取り出した拡大領域の画素数を変換させる（ステップＳ１８０）。本実施の形態では、取り出された拡大領域の画素数を、ディスプレイモジュール６１の解像度となるよう変換する。つまり、拡大領域が３００×２００画素で構成され、ディスプレイモジュールの解像度が１６８０×１２００である場合は、ＣＰＵ４３は信号処理部５１に３００×２００の画素領域を、１６８０×１２００の画素領域となるよう画素数変換させる。その後、ＣＰＵ４３は、変換された拡大領域をディスプレイモジュール６１に出力するよう指示を出す（ステップＳ１９０）。これにより、画面上には拡大領域がフル画面で表示される。
【００３３】
（２）テレビジョン受信機の作用・効果
以下に図２を基に本発明に係るテレビジョン受信機１００の作用・効果を説明する。
テレビジョン受信機１００をインターネット回線２００に接続されたパーソナルコンピュータ３００と接続し、インターネット回線２００からの画像データをテレビジョン受信機１００に入力した場合を想定する。この状態で、ディスプレイモジュール６１の画面には、図２（ａ）に示すような画像データが表示されている。このとき、リモコン装置３１のスポットズームキー３１ｄを操作すると、画面上に上述した２本の線分が表示される。この線分を用いて、図中太枠で囲まれた領域Ｄを拡大領域として指定する。なお、この領域は、動画コンテンツが表示された領域である。画面上で拡大領域を指定し、さらに、リモコン装置のエンターキー３１ｅを操作すると、画面には図２（ｂ）に表示されるように、指定された拡大領域がフル画面で表示される。ここで、画像データの拡大表示中は図中右下に所定のアイコン４２０が表示され、拡大表示中であることを視聴者に示す。
【００３４】
これにより、例えば、動画を表示する領域が、インターネット回線２００の帯域幅の関係で画面上に小さな領域でしか表示されない場合でも、この領域を画面上で指定することで拡大表示することができる。そのため、インターネット回線２００の帯域幅や画面上で表示される領域に関係なく、指定した領域を拡大表示することができる。
【００３５】
（３）各種変形例
本発明には、各種変形例が存在する。
拡大領域として指定された領域の縦横比がディスプレイモジュール６１の解像度の縦横比に合わない場合、拡大領域の縦横比の内、大きい方の辺の長さに合わせて画像データのサイズを変更してもよい。例えば、指定された拡大領域が３００×６００であり、ディスプレイモジュール６１の解像度が１６００×１２００である場合を想定する。拡大領域の縦横比は１対２と、縦に長い画像データであるため、この画像データの水平方向の画素数を画面の画素数に合わせた場合、垂直方向の画像が画面からはみ出してしまう。このような場合では、縦横の各辺の内長いほうの辺に合わせて画像データを拡大表示させて、拡大領域の画像データが画面からはみ出してしまうのを防止する。つまり、拡大領域では、垂直方向の一列の画素数６００が１２００となるよう変換を行なう。
【００３６】
（４）まとめ
テレビジョン受信機１００は、インターネット回線２００を通じて送信された画像データを取得する画像データ取得手段２０と、画面に表示された画像データの所定領域を画面上で指定するための指示を受付ける表示領域指示受付手段３０と、取得された画像データにおける受付けた指示により指定された領域を対応づける指定領域対応付け手段４０と、前記指定付けられた領域を前記画面のサイズに変換する画像データ変換手段５０と、変換された画像データを前記画面に表示する画像表示手段６０とを有する構成である。
【００３７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３８】
【図１】一例としてのテレビジョン受信機のブロック構成図である。
【図２】一例としての画面上に表示される画像データの図である。
【図３】バッファメモリに記憶される画像データを表す図である。
【図４】マスクＲＯＭに記憶された拡大表示プログラムのフローチャートである。
【図５】一例としての画面上に表示される画像データを表す図である。
【図６】一例としてのバッファメモリに記憶された画像データを表す図である。
【符号の説明】
【００３９】
２０…画像データ取得手段、２１…バッファメモリ、３０…表示領域指示受付手段、３１…リモコン装置、３１ａ…チャンネルキー、３１ｂ…切り替えキー、３１ｃ…十字キー、３１ｄ…スポットズームキー、３１ｅ…エンターキー、３２…ＯＳＤ部、４０…指定領域対応付け手段、４１…制御部、４２…リモコン受信部、４３…ＣＰＵ、４４…マスクＲＯＭ、４４ａ…基本プログラム、４４ｂ…拡大表示プログラム、５０…画像データ変換手段、５１…信号処理部、６０…画像表示手段、６１…ディスプレイモジュール、９０…受像機、９１…インタフェース、９２…フロントエンド部、９３…復号化部、９４…切替え部、１００…テレビジョン受信機、２００…インターネット回線、２１０…モデム、３００…パーソナルコンピュータ、４００，４１０…線分、４２０…アイコン
【図１】
2009047998.tif 000003
【図２】
2009047998.tif 000004
【図３】
2009047998.tif 000005
【図４】
2009047998.tif 000006
【図５】
2009047998.tif 000007
【図６】
2009047998.tif 000008